(57)【要約】【課題】  天板の外形形状を変えたりすることなく、天板と壁面又は他の天板との対向面間に隙間を形成し、コード類を下方に容易に配線可能とする。【解決手段】  天板１の側端部下面に、一端部の上面に上向き突部９を有するスペーサ部材３を、該スペーサ部材３全体が天板１の下方に位置する不使用位置と、上向き突部９が天板１の側端より突出してその端面と当接又は近接する使用位置との間を回動可能に設ける。【選択図】  図５
2005137548.tif 000002
【特許請求の範囲】
【請求項１】
天板の側端部下面に、一端部の上面に上向き突部を有するスペーサ部材を、該スペーサ部材全体が前記天板の下方に位置する不使用位置と、前記上向き突部が天板の側端より突出してその端面と当接又は近接する使用位置とに位置変更可能に設けたことを特徴とするテーブル。
【請求項２】
天板の下面に、スペーサ部材を不使用位置としたとき、その上向き突部が下方より遊嵌可能な保持孔を設けた請求項１記載のテーブル。
【請求項３】
スペーサ部材を、上下方向に弾性変形可能とした請求項１または２記載のテーブル。
【請求項４】
スペーサ部材における上向き突部の下方に、外向きに突出する指掛け片を設けた請求項３記載のテーブル。
【請求項５】
スペーサ部材を、突部が設けられた端部と反対側の他端部を中心として水平回動しうるように設けた請求項１〜４のいずれかに記載のテーブル。
【請求項６】
天板の下面における上向き突部が回動する軌跡上に、該上向き突部が通過しうる弧状溝を設けた請求項５記載のテーブル。
【請求項７】
スペーサ部材を、天板の内外方向に向かって摺動しうるように設けた請求項１〜４のいずれかに記載のテーブル。
【発明の詳細な説明】
【技術分野】
【０００１】
本発明は、コード類を、天板の上面から下方に容易に配線しうるようにしたテーブル（机も含む）に関する。
【背景技術】
【０００２】
オフィス等において使用されるテーブル（机）の中には、天板上に載置されたパソコン等の電気機器のコード類を、天板を壁面に当接させたり、天板同士を突合わせて配置した場合でも、下方に容易に配線可能とするために、天板に通線用の開口を形成したり（例えば特許文献１参照）、天板の側端面に通線用の切欠き凹部や突部（隆起部）を設けたり（例えば特許文献２、３参照）、天板の側縁部に、スペーサを着脱可能に設けるか、もしくは対向して配置されたテーブルの脚同士をスペーサにより連結したもの（例えば特許文献４参照）などがある。
【特許文献１】特開２００１−１３５４２５号公報
【特許文献２】登録意匠第１１８０４５６号公報
【特許文献３】特許第３２７８８１０号公報
【特許文献４】特開２００３−１０２５５３号公報
【発明の開示】
【発明が解決しようとする課題】
【０００３】
上記特許文献１〜３に記載されているテーブルでは、いずれも、天板に加工を施す必要があるため、コスト高となる。
また、天板に凹部や突部を設けると、テーブルを、コード類の配線を必要としない通常のテーブルとして使用する際に、天板の外形形状が変わってしまい、見栄えが悪くなる。
【０００４】
特許文献４に記載のテーブルのように、天板の側縁部にスペーサを着脱可能として設けたり、対向して配置されたテーブルの脚同士をスペーサにより連結すると、配線の要、不要時において、スペーサをその都度着脱しなければならず、その作業が面倒である。
【０００５】
また、テーブルの脚の上端に、スペーサを装着するための特別な加工を施す必要があり、スペーサを必要としない通常のテーブルの脚と共通化できず、形状の異なる２種類の脚を製作しなければならないため、製造コストが上昇する。
【０００６】
本発明は、上記問題点に鑑みてなされたもので、天板の外形形状を変えることなく、天板と壁面等の間や天板同士の対向面間に隙間を形成し、天板の下方にコード類を容易に配線しうるようにするとともに、配線の要、不要時にスペーサを簡単に使用位置と不使用位置とに位置変更することができ、かつ天板や脚に大幅な加工を施す必要のないようにしたテーブルを提供することを目的としている。
【課題を解決するための手段】
【０００７】
本発明によると、上記課題は、次のようにして解決される。
（１）天板の側端部下面に、一端部の上面に上向き突部を有するスペーサ部材を、該スペーサ部材全体が前記天板の下方に位置する不使用位置と、前記上向き突部が天板の側端より突出してその端面と当接又は近接する使用位置とに位置変更可能に設ける。
【０００８】
（２）上記(１)項において、天板の下面に、スペーサ部材を不使用位置としたとき、その上向き突部が下方より遊嵌可能な保持孔を設ける。
【０００９】
（３）上記(１)または(２)項において、スペーサ部材を、上下方向に弾性変形可能とする。
【００１０】
（４）上記(３)項において、スペーサ部材における上向き突部の下方に、外向きに突出する指掛け片を設ける。
【００１１】
（５）上記(１)〜(４)項のいずれかにおいて、スペーサ部材を、突部が設けられた端部と反対側の他端部を中心として水平回動しうるように設ける。
【００１２】
（６）上記(５)項において、天板の下面における上向き突部が回動する軌跡上に、該上向き突部が通過しうる弧状溝を設ける。
【００１３】
（７）上記(１)〜(４)項のいずれかにおいて、スペーサ部材を、天板の内外方向に向かって摺動しうるように設ける。
【発明の効果】
【００１４】
請求項１記載の発明によれば、スペーサ部材を使用位置に移動させるだけで、天板の側端と壁面又は他のテーブルの天板間に所要の隙間が形成され、その隙間よりコード類を下方に配線しうるので、従来のように、天板に凹部や突部を設ける必要はなく、天板の見栄えが悪くなるのが防止される。
【００１５】
また、不使用時にはスペーサ部材を天板の下方に位置させておくことができるので、邪魔になったり、テーブルの体裁が悪くなったりすることがない。
さらに、脚体や天板に、スペーサ部材を取付けるための大幅な加工を施す必要がないので、それらを他のテーブルと共通化しうるとともに、コスト低減が図れる。
【００１６】
請求項２記載の発明によれば、不使用位置としたスペーサ部材が、妄りに使用位置に移動するのを防止することができるとともに、不使用時において天板の下面からのスペーサ部材の突出量を小さくすることができる。
【００１７】
請求項３記載の発明によれば、スペーサ部材を下向きに弾性変形させることにより、使用位置にある上向き突部を不使用位置に移動させたり、保持孔内より上向き突部を離脱させて使用位置に容易に移動させたりすることができる。
【００１８】
請求項４記載の発明によれば、スペーサ部材を、指掛け片に指を掛けて容易に下向きに弾性変形させることができる。
【００１９】
請求項５記載の発明によれば、スペーサ部材を簡単に不使用位置と使用位置とに移動することができるとともに、スペーサ部材を天板の下面に沿って水平回動しうるので、天板の下面からのスペーサ部材の突出寸法を最小限とすることができる。
【００２０】
請求項６記載の発明によれば、上向き突部は、天板の下面の弧状溝に沿って不使用位置と使用位置との間を回動するので、スペーサ部材を下向きに弾性変形させる必要はなく、回動操作が容易となるとともに、スペーサ部材の材質の選択幅が拡がる。
【００２１】
請求項７記載の発明によれば、上記請求項５記載の発明と同様、スペーサ部材の移動が容易であるとともに、天板の下面に沿って前後に水平移動しうるので、天板の下面からのスペーサ部材の突出寸法を最小限とすることができる。
【発明を実施するための最良の形態】
【００２２】
以下、本発明の最良と思われる実施形態を、図面に基づいて説明する。
図１は、本発明のテーブルの第１の実施形態を示す平面図で、左右方向に長い長方形をなす天板(１)は、その下面の四隅部に上端を固定した脚柱(２)により支持されている。
【００２３】
天板(１)の後端部（以下、図１の手前を前として説明する）下面の左右両側部には、１対のスペーサ部材(３)(３)が、次のようにして取付けられている。
【００２４】
図２〜図４に示すように、天板(２)の後端部の両側部下面には、上向き凹状のめねじ孔(４)と大径の保持孔(５)が、左右対称的に左右方向に並べて形成されている。
【００２５】
上記めねじ孔(４)には、弾性変形可能な合成樹脂により形成された長方形をなす平板状のスペーサ部材(３)の一端部が、その部分に穿設された、下部が大径の段付孔(６)に、段付ねじ(７)の拡径頭部(7a)を嵌合して抜け止めし、かつ上部のおねじ(7b)をめねじ孔(４)に螺合することにより、水平回動可能に取付けられている。
【００２６】
上記保持孔(５)には、スペーサ部材(３)を段付ねじ(７)を中心として回動させた際、他端部の上面に突設された、長手方向の両面に垂直なストッパ面(８)(８)を有する欠円柱状の上向き突部(９)が、挿脱可能に遊嵌されるようになっている。
【００２７】
上向き突部(９)の基部におけるスペーサ部材(３)の両側面には、外側方に突出する円弧状の薄肉の指掛け片(10)(10)が、一体的に連設されている。
【００２８】
上向き突部(９)の内方のストッパ面(８)から、段付孔(６)の中心までの寸法は、めねじ孔(４)の中心から、天板(１)の後端面までの寸法とほぼ等しく、スペーサ部材(３)を、そのストッパ突部(９)が保持孔(５)に挿入された不使用位置から、後方に９０°回動させて使用位置としたとき、内方のストッパ面(８)が天板(１)の後端と近接又は当接するようになっている（図２参照）。
【００２９】
スペーサ部材(３)を使用位置まで回動するには、図４に示すように、指掛け片(10)に指を掛けて下方に引っ張り、スペーサ部材(３)を下方に弾性変形させて、上向き突部(９)を保持孔(５)より離脱させたのち、２点鎖線のように、後方に９０°回動させればよい。
この位置で手を離すと、スペーサ部材(３)が上向きに弾性復元することにより、図２に示すように、上向き突部(９)の内方のストッパ面(８)が天板(１)の後端と近接又は当接する。
【００３０】
これにより、スペーサ部材(３)は、その上向き突部(９)が天板(１)の後端より突出した使用位置に停止保持される。
【００３１】
従って、図１に示すように、テーブルを壁面(11)に沿って配置した際に、左右のスペーサ部材(３)の上向き突部(９)の後端が、壁面(11)に当接し、天板(１)の後端と壁面(１)との間には、所要の隙間(Ｓ)が形成されるので、この隙間(Ｓ)を通して、ＯＡ機器(12)等のコード(13)を下方に配線することができる。
【００３２】
また、図５に示すように、同形状の２個のテーブルの天板(１)同士を対向させて配置する際には、前後の天板(１)の左右いずれか一方のスペーサ部材(３)のみを使用位置に回動させて、それと対向する天板(１)の端面に当接させればよく、この際にも、上記と同様、前後の天板(１)の対向面間に隙間(Ｓ)が形成されるので、この隙間(Ｓ)を通して、ＯＡ機器(12)等のコード(13)を下方に配線することができる。
【００３３】
スペーサ部材(３)を不使用位置に戻すには、上記と同様、指掛け片(10)に指を掛けて下向きに弾性変形させたのち、前方に回動させ、上向き突部(９)を保持孔(５)内に挿入すればよい。
【００３４】
図６〜図８は、本発明の第２の実施形態を示すもので、この実施形態では、上記と同様の弾性変形可能なスペーサ部材(14)を、天板(１)の後端部下面に、前後方向に移動可能に取付けてある。
【００３５】
すなわち、前後寸法を上記第１の実施形態のスペーサ部材(３)よりも若干長寸としたスペーサ部材(14)の前部側に、下半部を拡開させた段付長孔(15)を前後方向に向かって形成し、この段付長孔(15)に下方より挿入した上記と同様の段付ねじ(７)のおねじ(7b)を、天板(１)の下面に形成しためねじ孔(４)に螺合し、かつ段付ねじ(７)の拡径頭部(7a)により段付長孔(15)の拡開部下面を受支することにより、スペーサ部材(14)は、天板(１)の下面に前後に摺動可能に取付けられている。
【００３６】
天板(１)の後端の下面には、上記と同様、スペーサ部材(14)の後端部に立設した上向き突部(９)が遊嵌される保持孔(５)が設けられている。
【００３７】
この第２の実施形態においては、図７に示すように、スペーサ部材(14)を下向きに弾性変形させて前後方向に摺動させることにより、上記実施形態と同様、上向き突部(９)が保持孔(５)内に収容された不使用位置から、上向き突部(９)が天板(１)の後端より突出して、前部のストッパ面(８)が、天板(１)の後面と当接又は近接する使用位置まで移動させることができる。
【００３８】
図９は、本発明の第３の実施形態を示す底面図で、上記第１の実施形態と同形のスペーサ部材(３)を、上記と同じ要領で天板(１)の下面に回動可能に取付けるとともに、天板(１)の下面における上向き突部(９)の回動軌跡上に、該上向き突部(９)が通過して、不使用位置と使用位置とに回動しうる弧状溝(16)を設けてある。
【００３９】
弧状溝(16)の開口端におけるスペーサ部材(３)側の内面には、上向き突部(９)の前部のストッパ面(８)が若干きつめに摺接しながら乗り越え得る突起(17)が形成され、使用位置としたスペーサ部材(３)が簡単に不使用位置に回動することのないようにしてある。
【００４０】
このような弧状溝(16)を設けると、第１の実施形態のように、スペーサ部材(３)を下方に弾性変形させる必要はなく、従って、スペーサ部材(３)の材質の選択幅が拡がる。
【００４１】
なお、上記実施形態では、スペーサ部材(３)(14)を、天板(１)の後端部下面に設けているが、天板(１)の左右の側端部下面に設けることもある。
【図面の簡単な説明】
【００４２】
【図１】本発明のテーブルの第１の実施形態を示す平面図である。
【図２】図１のII−II線拡大縦断側面図である。
【図３】スペーサ部材を下方より見た分解斜視図である。
【図４】同じく、取付後においてスペーサ部材を下向きに弾性変形させた斜視図である。
【図５】テーブルの天板同士を対向させて設置した際におけるスペーサ部材の使用例を示す平面図である。
【図６】本発明の第２の実施形態を示すスペーサ部材取付部の平面図である。
【図７】図６のVII−VII線縦断側面図である。
【図８】同じく、図６のVIII−VIII線縦断正面図である。
【図９】本発明の第３の実施形態を示すスペーサ部材取付部の底面図である。
【符号の説明】
【００４３】
(１)天板
(２)脚柱
(３)スペーサ部材
(４)めねじ孔
(５)保持孔
(６)段付孔
(７)段付ねじ
(7a)拡径頭部
(7b)おねじ
(８)ストッパ面
(９)上向き突部
(10)指掛け片
(11)壁面
(12)ＯＡ機器
(13)コード
(14)スペーサ部材
(15)段付長孔
(16)弧状溝
(17)突起
(Ｓ)隙間
【図１】
2005137548.tif 000003
【図２】
2005137548.tif 000004
【図３】
2005137548.tif 000005
【図４】
2005137548.tif 000006
【図５】
2005137548.tif 000007
【図６】
2005137548.tif 000008
【図７】
2005137548.tif 000009
【図８】
2005137548.tif 000010
【図９】
2005137548.tif 000011